(57)【要約】【課題】等化対象のフィルタの遅延時間特性を補償するための最適なタップ係数を自動的に生成することが可能なディジタル遅延等化器を提供する。【解決手段】受信信号の遅延時間歪みを主として補償するディジタル遅延等化器２５であって、その受信信号の信号系列に応じて適応的にタップ係数を生成して該受信信号のフェーディング歪みを主として補償する自動(適応)等化器２６を後置して接続した構成とし、かつ、自動(適応)等化器２６のタップ係数の周波数特性を算出し、算出した該周波数特性の逆特性の周波数特性を有するタップ係数を自ディジタル遅延等化器２５のタップ係数として自動的に生成するディジタル遅延等化器内タップ係数算出部２９を有している。而して、ディジタル遅延等化器２５のタップ係数を、人手を介することなく自動的に生成することができるので、該タップ係数の調整にかかる手間を大幅に省くことができる。【選択図】図１
2020162095.tif 000002
【特許請求の範囲】
【請求項１】
受信信号の遅延時間歪みを主として補償するディジタル遅延等化器であって、
前記受信信号の信号系列に応じて適応的にタップ係数を生成して該受信信号のフェーディング歪みを主として補償する自動(適応)等化器を後置して接続した構成とし、
かつ、
前記自動(適応)等化器のタップ係数の周波数特性を算出し、算出した該周波数特性の逆特性の周波数特性を有するタップ係数を自ディジタル遅延等化器のタップ係数として自動的に生成するディジタル遅延等化器内タップ係数算出部、
を有していることを特徴とするディジタル遅延等化器。
【請求項２】
前記ディジタル遅延等化器内タップ係数算出部は、
算出した前記自動(適応)等化器のタップ係数の周波数特性を診断する周波数特性診断部をさらに有し、
該周波数特性診断部における診断結果として、前記受信信号に関して、フェーディング成分が存在しない状態に等化することができ、かつ、遅延時間歪みが除去された状態に等化することができるとの診断結果が得られるまで、
前記自動(適応)等化器のタップ係数を取得し直し、取得し直した該タップ係数の周波数特性を算出して、算出した前記自動(適応)等化器のタップ係数の周波数特性を診断する動作を繰り返し、
一方、前記周波数特性診断部における診断結果として、前記受信信号に関して、フェーディング成分が存在しない状態に等化することができ、かつ、遅延時間歪みが除去された状態に等化することができるとの診断結果が得られた際には、
算出した前記周波数特性の逆特性の周波数特性を有するタップ係数を自ディジタル遅延等化器の最適なタップ係数として生成して自ディジタル遅延等化器に設定する、
ことを特徴とする請求項１に記載のディジタル遅延等化器。
【請求項３】
前記ディジタル遅延等化器内タップ係数算出部は、
前記最適なタップ係数を自ディジタル遅延等化器に設定して、前記受信信号を正常に復調していることを確認した際に、前記自動(適応)等化器のタップ係数を取得し直す動作を、あらかじめ定めた一定時間の間停止し、
該一定時間が経過した際に、前記自動(適応)等化器のタップ係数を取得し直す動作を再開して、該タップ係数の周波数特性に関する前記周波数特性診断部における診断動作を再開する、
ことを特徴とする請求項２に記載のディジタル遅延等化器。
【請求項４】
前記周波数特性診断部は、
振幅特性として、前記自動(適応)等化器のタップ係数に基づいて算出した前記受信信号の振幅が、あらかじめ定めたフェーディング検出閾値以下となる周波数成分が存在していない状態に達した際に、フェーディング成分が存在していない状態にあると診断し、
かつ、
遅延時間特性として、前記自動(適応)等化器のタップ係数に基づいて算出した今回の前記受信信号の遅延時間と算出した前回の前記受信信号の遅延時間との差である遅延時間偏差が、対象とするすべての周波数帯域において、あらかじめ定めた時間閾値未満に収まった際に、前記受信信号の遅延時間歪みが除去された状態にあると診断する、
ことを特徴とする請求項２または３に記載のディジタル遅延等化器。
【請求項５】
前記周波数特性診断部は、
前記遅延時間偏差を算出する対象とする周波数帯域として、前記受信信号の遅延時間に関する周波数特性上の変化が、あらかじめ定めた診断対象閾値未満の値になる周波数帯域を除外し、前記受信信号の遅延時間に関する周波数特性上の変化が、該診断対象閾値以上の値に達する周波数領域を選択する、
ことを特徴とする請求項４に記載のディジタル遅延等化器。
【請求項６】
受信アンテナにより受信した受信信号をベースバンドのディジタル信号に変換した後、ディジタル遅延等化器により遅延時間歪みを補償し、さらに、自動（適応）等化器によりフェーディング歪みを補償してから復調する受信機を備え、
前記ディジタル遅延等化器として、請求項１ないし５のいずれかに記載のディジタル遅延等化器を用いる、
ことを特徴とする無線通信装置。
【請求項７】
受信信号の遅延時間歪みを主として補償するディジタル遅延等化器のタップ係数を生成し、
前記受信信号の信号系列に応じて適応的にタップ係数を生成して該受信信号のフェーディング歪みを主として補償する自動(適応)等化器を前記ディジタル遅延等化器に後置して接続した構成とし、
かつ、
前記自動(適応)等化器のタップ係数の周波数特性を算出し、算出した該周波数特性の逆特性の周波数特性を有するタップ係数を前記ディジタル遅延等化器のタップ係数として自動的に生成するディジタル遅延等化器内タップ係数算出ステップ、
を有していることを特徴とするタップ係数生成方法。
【請求項８】
前記ディジタル遅延等化器内タップ係数算出ステップは、
算出した前記自動(適応)等化器のタップ係数の周波数特性を診断する周波数特性診断ステップをさらに有し、
該周波数特性診断ステップにおける診断結果として、前記受信信号に関して、フェーディング成分が存在しない状態に等化することができ、かつ、遅延時間歪みが除去された状態に等化することができるとの診断結果が得られるまで、
前記自動(適応)等化器のタップ係数を取得し直し、取得し直した該タップ係数の周波数特性を算出して、算出した前記自動(適応)等化器のタップ係数の周波数特性を診断する動作を繰り返し、
一方、前記周波数特性診断ステップにおける診断結果として、前記受信信号に関して、フェーディング成分が存在しない状態に等化することができ、かつ、遅延時間歪みが除去された状態に等化することができるとの診断結果が得られた際には、
算出した前記周波数特性の逆特性の周波数特性を有するタップ係数を前記ディジタル遅延等化器の最適なタップ係数として生成して該ディジタル遅延等化器に設定する、
ことを特徴とする請求項７に記載のタップ係数生成方法。
【請求項９】
前記ディジタル遅延等化器内タップ係数算出ステップは、
前記最適なタップ係数を前記ディジタル遅延等化器に設定して、前記受信信号を正常に復調していることを確認した際に、前記自動(適応)等化器のタップ係数を取得し直す動作を、あらかじめ定めた一定時間の間停止し、
該一定時間が経過した際に、前記自動(適応)等化器のタップ係数を取得し直す動作を再開して、該タップ係数の周波数特性に関する前記周波数特性診断ステップにおける診断動作を再開する、
ことを特徴とする請求項８に記載のタップ係数生成方法。
【請求項１０】
前記周波数特性診断ステップは、
振幅特性として、前記自動(適応)等化器のタップ係数に基づいて算出した前記受信信号の振幅が、あらかじめ定めたフェーディング検出閾値以下となる周波数成分が存在していない状態に達した際に、フェーディング成分が存在していない状態にあると診断し、
かつ、
遅延時間特性として、前記自動(適応)等化器のタップ係数に基づいて算出した今回の前記受信信号の遅延時間と算出した前回の前記受信信号の遅延時間との差である遅延時間偏差が、対象とするすべての周波数帯域において、あらかじめ定めた時間閾値未満に収まった際に、前記受信信号の遅延時間歪みが除去された状態にあると診断する、
ことを特徴とする請求項８または９に記載のタップ係数生成方法。
【発明の詳細な説明】
【技術分野】
【０００１】
本発明は、ディジタル遅延等化器、無線通信装置およびタップ係数生成方法に関し、マイクロ波ディジタル無線通信システム全般に適用することが可能なディジタル遅延等化器、無線通信装置およびタップ係数生成方法に関する。
【背景技術】
【０００２】
複数の周波数チャンネルを一つのアンテナで送受信するマイクロ波ディジタル無線通信システムにおいては、各周波数チャネルを分離するために、急峻なカットオフ特性を有するバンドパスフィルタが使用されることが多い。このようなバンドパスフィルタは、前述したような急峻なカットオフ特性を有しているのみならず、通過帯域内においてはフラットな振幅特性を有していることが一般的である。
【０００３】
しかしながら、現状のバンドパスフィルタは、急峻なカットオフ特性を得るために、通過帯域の両端における遅延時間特性には急峻な変化が生じてしまい、通過帯域内における遅延時間特性としてフラットな特性が得られない場合が多い。通過帯域の遅延時間特性がフラットになっていない場合には、データ信号波形が歪み、誤り率が増大して、伝送品質が劣化してしまう。このため、マイクロ波ディジタル無線通信システムにおいては、通過帯域内の遅延時間特性がフラットになるように補償するための機能を有する遅延等化器を用いることが一般的である。ここで、該遅延等化器に関しては、それ自身の振幅特性はフラットであり、かつ、遅延時間特性は、補償対象（等化対象）となるバンドパスフィルタ等の遅延時間特性と合わせると、フラットになるという特性を備えていることが必要である。
【０００４】
また、現状の技術においては、遅延等化器として、アナログフィルタを用いる場合もあるが、かかるアナログフィルタを用いる場合は、個体のバラツキに対する調整に手間がかかり、さらに、個体差により遅延特性を十分に補償することができない等の問題点があり、ディジタルフィルタ型の遅延等化器に期待が寄せられている。
【０００５】
ディジタルフィルタ型の遅延等化器すなわちディジタル遅延等化器の遅延時間特性は、入力信号系列を単位時間ずつ順次遅延させる複数個の単位時間遅延素子の各出力信号に乗算する各タップ係数によって決まる。しかし、等化対象のフィルタの遅延時間特性を補償してフラットな特性を得ることができるディジタル遅延等化器の各タップ係数を解析的に決定することは、一般的に難しい問題である。さらに、周波数チャンネルごとに等化対象のフィルタとして異なる種類が使用されることもあるし、また、それぞれのフィルタに製造偏差も含まれていることを考慮すると、ディジタル遅延等化器の各タップ係数を解析的に算定することは現実的ではない。
【０００６】
そこで、かかる問題の解決方法として、ディジタル遅延等化器のタップ係数として、複数個のタップ係数をあらかじめ用意しておき、周波数チャンネルごとに、その中から最適なタップ係数を、人手を介して選択するという方法が、現状の技術として用いられている。さらには、この他に、今後の技術として、信号系列に応じて適応的にタップ係数を調整して設定する判定帰還型の自動(適応)等化器とディジタル遅延等化器とを併設した状態にして、自動(適応)等化器のタップ係数を利用して自動的にディジタル遅延等化器のタップ係数を決定するという特許文献１の特開２００８−２２７９８０号公報に記載された方法や、あるいは、受信した信号をフーリエ変換（ＦＦＴ：Fast  Fourier  Transform）し、その逆特性を算出することにより、トランスバーサルフィルタのタップ係数を算出して、受信信号の等化を行うという特許文献２の特開２００７−０６７６３６号公報に記載された方法も提案されている。
【０００７】
しかし、前述の第１番目の現状の技術として用いている方法に関しては、周波数チャンネルごとに最適なタップ係数をシステム評価や出荷検査等の時点で求めて、手動で設定することが必要であり、手間がかかる。また、第２番目の前記特許文献１に記載された方法に関しては、自動(適応)等化器のタップ係数からディジタル遅延等化器のタップ係数を算出することになるが、自動(適応)等化器のタップ係数には、フェーディング成分等の歪みが含まれており、ディジタル遅延等化器に適用するタップ係数として最適なタップ係数を算出することができないという問題点がある。また、第３番目の前記特許文献２に記載された方法に関しては、フェーディングを想定している場合の対策であって、バンドパスフィルタ（ＢＰＦ）の周波数帯域端における遅延時間特性の急峻な変化を等化するという技術ではない。
【先行技術文献】
【特許文献】
【０００８】
【特許文献１】特開２００８−２２７９８０号公報
【特許文献２】特開２００７−０６７６３６号公報
【発明の概要】
【発明が解決しようとする課題】
【０００９】
以上のように、本発明に関連する前記特許文献１，２等に記載された現状の技術においては、いずれも、等化対象のフィルタの遅延時間特性を補償する役割を担っているディジタル遅延等化器における最適なタップ係数、すなわち、送信機および受信機の双方に備えているバンドパスフィルタ（ＢＰＦ）の通過周波数帯域端における遅延時間特性の急峻な変化を等化する役割を担っているディジタル遅延等化器の最適なタップ係数を自動的に生成して設定することができないという問題点である。このように、現状の技術においては、等化対象のフィルタの遅延時間特性を補償するための最適なタップ係数の自動生成に関して解決するべき課題がある。
【００１０】
（本開発の目的）
本開発の目的は、かかる課題に鑑み、等化対象のフィルタの遅延時間特性を補償するための最適なタップ係数を自動的に生成することが可能なディジタル遅延等化器、無線通信装置およびタップ係数生成方法の提供にある。
【課題を解決するための手段】
【００１１】
前述の課題を解決するため、本発明によるディジタル遅延等化器、無線通信装置およびタップ係数生成方法は、主に、次のような特徴的な構成を採用している。
【００１２】
（１）本発明によるディジタル遅延等化器は、
受信信号の遅延時間歪みを主として補償するディジタル遅延等化器であって、
前記受信信号の信号系列に応じて適応的にタップ係数を生成して該受信信号のフェーディング歪みを主として補償する自動(適応)等化器を後置して接続した構成とし、
かつ、
前記自動(適応)等化器のタップ係数の周波数特性を算出し、算出した該周波数特性の逆特性の周波数特性を有するタップ係数を自ディジタル遅延等化器のタップ係数として自動的に生成するディジタル遅延等化器内タップ係数算出部、
を有していることを特徴とする。
【００１３】
（２）本発明による無線通信装置は、
受信アンテナにより受信した受信信号をベースバンドのディジタル信号に変換した後、ディジタル遅延等化器により遅延時間歪みを補償し、さらに、自動（適応）等化器によりフェーディング歪みを補償してから復調する受信機を備え、
前記ディジタル遅延等化器として、少なくとも前記（１）に記載のディジタル遅延等化器を用いる、
ことを特徴とする。
【００１４】
（３）本発明によるタップ係数生成方法は、
受信信号の遅延時間歪みを主として補償するディジタル遅延等化器のタップ係数を生成し、
前記受信信号の信号系列に応じて適応的にタップ係数を生成して該受信信号のフェーディング歪みを主として補償する自動(適応)等化器を前記ディジタル遅延等化器に後置して接続した構成とし、
かつ、
前記自動(適応)等化器のタップ係数の周波数特性を算出し、算出した該周波数特性の逆特性の周波数特性を有するタップ係数を前記ディジタル遅延等化器のタップ係数として自動的に生成するディジタル遅延等化器内タップ係数算出ステップ、
を有していることを特徴とする。
【発明の効果】
【００１５】
本発明のディジタル遅延等化器、無線通信装置およびタップ係数生成方法によれば、主に、以下のような効果を奏することができる。
【００１６】
第１に、ディジタル遅延等化器のタップ係数に関して、現状の技術においては、個別に手動によって調整を行っていたが、本発明においては、自動化することができるので、該タップ係数の調整にかかる手間を大幅に省くことができる。
【００１７】
第２に、ディジタル遅延等化器に自動(適応)等化器を後置して接続する構成としているので、フェーディング成分を除いた状態の自動(適応)等化器のタップ係数に基づいてディジタル遅延等化器のタップ係数を算出することができ、ディジタル遅延等化器のタップ係数として、より最適なタップ係数を得ることができる。而して、かかるディジタル遅延等化器と自動(適応)等化器とを受信機として内蔵することにより、無線通信装置の性能向上を図ることができる。
【図面の簡単な説明】
【００１８】
【図１】本発明の一実施形態に係る無線通信装置の構成例を示すブロック構成図である。
【図２】図１（Ｂ）に示した受信機における自動(適応)等化器の内部構成の一例を示すブロック構成図である。
【図３】図１（Ｂ）に示した受信機におけるディジタル遅延等化器とディジタル遅延等化器内タップ係数算出部との内部構成の一例を示すブロック構成図である。
【図４】図３に示したディジタル遅延等化器およびディジタル遅延等化器内タップ係数算出部に関する動作の一例を説明するためのフローチャートである。
【図５】図３に示したディジタル遅延等化器内タップ係数算出部の周波数特性診断部（Fading＋Delay偏差検出部）において実施したフェーディング（Fading）検出結果および遅延時間偏差検出結果の一例を示す特性図である。
【発明を実施するための形態】
【００１９】
以下、本発明によるディジタル遅延等化器、無線通信装置およびタップ係数生成方法の好適な実施形態について添付図を参照して説明する。なお、以下の説明においては、本発明によるディジタル遅延等化器、無線通信装置およびタップ係数生成方法について説明するが、かかるタップ係数生成方法をコンピュータにより実行可能なタップ係数生成プログラムとして実施するようにしても良いし、あるいは、タップ係数生成プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００２０】
（本発明の特徴）
本発明の実施形態の説明に先立って、本発明の特徴についてその概要をまず説明する。本発明は、マイクロ波ディジタル無線通信システムなどを構成する無線通信装置において、受信信号に含まれているフェーディング成分を除去するために信号系列に応じて適応的にタップ係数を決定する自動(適応)等化器が併設されている場合のディジタル遅延等化器、タップ係数生成方法に関するものである。そして、本発明においては、フェーディング成分を除いた状態に設定された自動(適応)等化器のタップ係数に基づいて、ディジタル遅延等化器のタップ係数を自動的に生成して設定することを可能にすることを主要な特徴としている。
【００２１】
而して、ディジタル遅延等化器として等化対象のフィルタの遅延特性を補償するための最適なタップ係数を自動的に得ることができる。その結果、マイクロ波ディジタル無線通信システム等の無線通信システムに適用する無線通信装置の性能向上を容易に図ることができる。さらに、現状の技術のように、ディジタル遅延等化器のタップ係数を個別に手動調整を行う必要がないので、ディジタル遅延等化器の調整の手間を省くこともできる。
【００２２】
また、ディジタル遅延等化器のタップ係数の決定後は、該ディジタル遅延等化器において、受信信号に含まれている固定時間遅延歪み（すなわちバンドパスフィルタの遅延時間特性による時間的な変動がない固定的な信号歪み（遅延歪み））を確実に等化する状態になるので、該ディジタル遅延等化器に後置した自動(適応)等化器においては、フェーディング等の信号歪み（時間的に変動する信号歪み）の等化に専念することができる。したがって、耐フェーディング特性のさらなる向上も期待することができる。
【００２３】
（本発明の実施形態の構成例）
次に、本発明に係る無線通信装置の実施形態における構成例について、図１を参照しながら詳細に説明する。図１は、本発明の一実施形態に係る無線通信装置の構成例を示すブロック構成図であり、ディジタル無線通信システムに適用される無線通信装置として、ディジタル遅延等化器が自動(適応)等化器と併設して内蔵されている場合について示している。なお、図１（Ａ）は、無線通信装置１００の送信機１０のブロック構成の一例を示し、図１（Ｂ）は、無線通信装置１００の受信機２０のブロック構成の一例を示している。
【００２４】
まず、図１（Ａ）に示す無線通信装置１００の送信機１０のブロック構成について説明する。図１（Ａ）に示すように、送信機１０は、変調器１１、Ｄ／Ａ変換器１２、ミキサ（Mixer）１３、高周波増幅器（Ａｍｐ：Amplifier）１４、バンドパスフィルタ（ＢＰＦ：Band  Pass  Filter）１５、アンテナ１６、および、発振器１７を備えて構成されている。
【００２５】
変調器１１は、ディジタル信号形式の入力データ信号を変調する回路であり、Ｄ／Ａ変換器１２は、変調されたディジタル信号をアナログ信号に変換する回路である、また、ミキサ１３は、変換されたアナログ信号と発振器１７からの高周波信号とを混合して高周波帯域の信号に変換する回路であり、高周波増幅器１４は、変換された高周波帯域の信号を増幅する回路である。また、バンドパスフィルタ１５は、必要とする周波数帯域の信号のみを通過させる回路であり、アンテナ１６は、バンドパスフィルタ１５から出力されてくる高周波信号を無線電波として送信する素子である。
【００２６】
つまり、図１（Ａ）に示す送信機１０は、送信すべきデータ入力信号が変調器１１に入力されてくると、変調器１１において例えば位相変調などの変調信号に変換され、Ｄ／Ａ変換器１２にてさらにアナログ信号に変換される。しかる後、空間を伝搬する高周波信号に変換するために、ミキサ１３において該アナログ信号を発振器１７からの被変調波信号である高周波信号と混合して、周波数変換が施された後、高周波増幅器１４において増幅される。そして、バンドパスフィルタ１５において、あらかじめ定めた周波数帯域の信号のみを通過させるように帯域制限をかけられて、アンテナ１６から無線電波として放射される。
【００２７】
次に、図１（Ｂ）に示す無線通信装置１００の受信機２０のブロック構成について説明する。図１（Ｂ）に示すように、受信機２０は、アンテナ２１、バンドパスフィルタ（ＢＰＦ：Band  Pass  Filter）２２、ミキサ（Mixer）２３、Ａ／Ｄ変換器２４、ディジタル遅延等化器２５、自動（適応）等化器２６、復調器２７、局部発振器２８、および、ディジタル遅延等化器内タップ係数算出部２９を備えて構成されている。つまり、受信機２０は、ディジタル遅延等化器２５、自動（適応）等化器２６を併設しており、ディジタル遅延等化器２５に自動（適応）等化器２６が後置する形で接続した構成としている。
【００２８】
アンテナ２１は、無線電波を受信して高周波信号に変換する素子であり、バンドパスフィルタ２２は、変換された高周波信号の中から必要な周波数帯域の信号を選択して通過させる回路である。また、局部発振器２８は、局部周波数の信号を発振・生成する回路である。ミキサ２３は、バンドパスフィルタ２２から出力されてくる高周波信号と局部発振器２８からの局部周波数の信号とを混合して周波数変換して、ベースバンドのアナログ信号に変換する回路であり、Ａ／Ｄ変換器２４は、変換されたアナログ信号をディジタル信号に変換する回路である。
【００２９】
また、ディジタル遅延等化器２５は、受信した無線電波の送信元である相手側の送信機１０と当該受信機２０との双方のバンドパスフィルタの遅延時間特性等により生じている受信ディジタル信号の遅延時間歪み（時間的な変動がない固定的な信号歪み）を主として補償する回路である。また、自動（適応）等化器２６は、伝送路におけるフェーディング等により生じている受信ディジタル信号のフェーディング歪み（時間的に変動する信号歪み）を主として補償する回路であり、受信ディジタル信号に時間的に変動して含まれているフェーディング成分等を除去するために、入力される信号系列に応じて適応的にタップ係数を決定する判定帰還形の等化器として構成されている。
【００３０】
また、復調器２７は、自動（適応）等化器２６から出力されてくるディジタル信号の変調波をベースバンド信号に復調する回路であり、ディジタル遅延等化器内タップ係数算出部２９は、自動（適応）等化器２６のタップ係数に基づいて、ディジタル遅延等化器２５のタップ係数を算出する回路である。
【００３１】
つまり、図１（Ｂ）に示す受信機２０は、アンテナ２１にて受信して変換された高周波信号をバンドパスフィルタ２２によって所定の周波数帯域の信号のみを通過させるように帯域制限をかける。しかる後、バンドパスフィルタ２２を通過した通過信号は、ミキサ２３において局部発振器２８からの高周波信号（局部周波数信号）と混合されて、ベースバンドのアナログ信号に周波数変換された後、Ａ／Ｄ変換器２４においてディジタル信号に変換されて、受信ディジタル信号として出力される。
【００３２】
Ａ／Ｄ変換器２４から出力された受信ディジタル信号は、ディジタル遅延等化器２５において、受信した信号の送信元である相手側の送信機１０のバンドパスフィルタ１５と当該受信機２０のバンドパスフィルタ２２との遅延時間特性等により受けた遅延時間歪み（時間的に変動がない信号歪み）の等化処理が施される。さらに、ディジタル遅延等化器２５から出力された受信ディジタル信号は、自動(適応)等化器２６において主として伝送路におけるフェーディング等により生じている信号歪み（時間的に変動する信号歪み）の適応等化処理が施された後、復調器２７において、変調波の復調処理が施されて、ベースバンドのデータ信号として再生される。
【００３３】
ここで、ディジタル遅延等化器２５は、前述したように、受信ディジタル信号に関して、相手側の送信機１０のバンドパスフィルタ１５と当該受信機２０のバンドパスフィルタ２２等に起因する時間的な変動がない固定時間遅延分の遅延歪み（信号歪み）をあらかじめ等化する（補償する）役割を担っている。その結果、ディジタル遅延等化器２５に後続して設置された（後置された）自動(適応)等化器２６においては、受信ディジタル信号に関する固定時間遅延分の遅延歪み（信号歪み）の等化処理を行う必要がなくなるので、伝送路におけるフェーディング等によって生じている時間的に変動する信号歪みを等化する（補償する）ための適応等化処理に専念することができ、該適応等化処理の追従性を向上させることができる。その結果、受信機２０全体として、効果的な等化能力を発揮することができるという効果を奏することが可能になる。
【００３４】
次に、自動(適応)等化器２６の内部構成の一例について、図２を用いて説明する。図２は、図１（Ｂ）に示した受信機２０における自動(適応)等化器２６の内部構成の一例を示すブロック構成図である。
【００３５】
図２に示す自動(適応)等化器２６は、本実施形態においては、信号系列に応じてタップ係数を適応的に調整する判定帰還型のディジタルフィルタとして構成している例を示しており、複数個（２Ｎ個）の単位遅延器２６ａと複数個（（２Ｎ＋１）個）の乗算器２６ｂと加算器２６ｃと自動(適応)等化器タップ係数生成部２６ｄと識別器２６ｅと加算器２６ｆと備えて構成されている。
【００３６】
単位遅延器２６ａは、入力されてくる信号をあらかじめ定めた単位時間だけ遅延させる回路であり、複数個（２Ｎ個）の単位遅延器２６ａを縦列接続して、順次単位時間ずつ遅延させるように構成している。複数個（（２Ｎ＋１）個）の乗算器２６ｂは、入力信号および複数個（２Ｎ個）の単位遅延器２６ａそれぞれから出力される信号と自動(適応)等化器タップ係数生成部２６ｄから出力される複数個（（２Ｎ＋１）個）のタップ係数（Ｃ−Ｎ、…、Ｃ０、…、ＣＮ）それぞれとの乗算を行う回路である。
【００３７】
また、加算器２６ｃは、複数個（（２Ｎ＋１）個）の乗算器２６ｂそれぞれから出力される信号の総和を算出する回路であり、自動(適応)等化器タップ係数生成部２６ｄは、複数個（（２Ｎ＋１）個）のタップ係数（Ｃ−Ｎ、…、Ｃ０、…、ＣＮ）を、信号系列に応じて（具体的には、入力信号と加算器２６ｆから出力される誤差信号との信号系列に応じて）適応的に算出して生成する回路である。また、識別器２６ｅと加算器２６ｆとは、加算器２６ｃから出力されてくる信号系列に基づいて、逐次的に、タップ係数（Ｃ−Ｎ、…、Ｃ０、…、ＣＮ）を更新するために必要な誤差信号を算出するための回路である。
【００３８】
次に、ディジタル遅延等化器２５とディジタル遅延等化器内タップ係数算出部２９との内部構成の一例について、図３を用いて説明する。図３は、図１（Ｂ）に示した受信機２０におけるディジタル遅延等化器２５とディジタル遅延等化器内タップ係数算出部２９との内部構成の一例を示すブロック構成図である。
【００３９】
図３に示すディジタル遅延等化器２５は、本実施形態においては、ＦＩＲ（Finite  Impulse  Response：有限インパルス応答）型のディジタルフィルタとして構成している例を示しており、複数個（２Ｎ個）の単位時間遅延素子２５ａと複数個（（２Ｎ＋１）個）の乗算器２５ｂと加算器２５ｃとにより構成されている。
【００４０】
単位時間遅延素子２５ａは、入力されてくる信号をあらかじめ定めた単位時間だけ遅延させる回路であり、複数個（２Ｎ個）の単位時間遅延素子２５ａを縦列接続して、順次単位時間ずつ遅延させるように構成されている。複数個（（２Ｎ＋１）個）の乗算器２５ｂは、入力信号および複数個（２Ｎ個）の単位時間遅延素子２５ａそれぞれから出力される信号とディジタル遅延等化器内タップ係数算出部２９から出力される複数個（（２Ｎ＋１）個）のタップ係数（ｈ−Ｎ、…、ｈ０、…、ｈＮ）それぞれとの乗算を行う回路である。また、加算器２５ｃは、複数個（（２Ｎ＋１）個）の乗算器２５ｂそれぞれから出力される信号の総和を算出する回路である。
【００４１】
また、図３に示すディジタル遅延等化器内タップ係数算出部２９は、遅延等化器タップ係数生成部２９ａと周波数特性診断部（Fading＋Delay偏差検出部）２９ｂと周波数特性算出部２９ｃとにより構成されている。
【００４２】
遅延等化器タップ係数生成部２９ａは、自動(適応)等化器２６の自動(適応)等化器タップ係数生成部２６ｄによって生成された複数個（（２Ｎ＋１）個）のタップ係数（Ｃ−Ｎ、…、Ｃ０、…、ＣＮ）を基にして、ディジタル遅延等化器２５の複数個（（２Ｎ＋１）個）の乗算器２５ｂそれぞれにおいて用いる複数個（（２Ｎ＋１）個）のタップ係数（ｈ−Ｎ、…、ｈ０、…、ｈＮ）を生成する回路である。
【００４３】
また、周波数特性算出部２９ｃは、自動(適応)等化器２６の自動(適応)等化器タップ係数生成部２６ｄによって生成された複数個（（２Ｎ＋１）個）のタップ係数（Ｃ−Ｎ、…、Ｃ０、…、ＣＮ）の周波数特性（振幅特性、遅延時間特性）を算出する回路である。
【００４４】
また、周波数特性診断部（Fading＋Delay偏差検出部）２９ｂは、周波数特性算出部２９ｃにより算出された周波数特性に基づいて、受信信号に関するフェーディングの検出と遅延時間の偏差の検出とを行い、フェーディング成分が存在していなく、かつ、遅延時間歪みが除去されている状態になっているか否かを診断する回路である。
【００４５】
そして、周波数特性診断部（Fading＋Delay偏差検出部）２９ｂの診断結果として、フェーディング成分が存在していなく、かつ、遅延時間歪みが除去されている状態になっていることを検出したタイミングで、遅延等化器タップ係数生成部２９ａが、複数個（（２Ｎ＋１）個）のタップ係数（Ｃ−Ｎ、…、Ｃ０、…、ＣＮ）を基にして生成した複数個（（２Ｎ＋１）個）のタップ係数（ｈ−Ｎ、…、ｈ０、…、ｈＮ）をディジタル遅延等化器２５に設定することにより、遅延時間歪みに対する最適な等化特性を得ることができる。
【００４６】
すなわち、後置した自動(適応)等化器２６において適応的に自動調整されたタップ係数（Ｃ−Ｎ、…、Ｃ０、…、ＣＮ）を利用することにより、ディジタル遅延等化器２５に設定すべき最適なタップ係数（ｈ−Ｎ、…、ｈ０、…、ｈＮ）を自動的に取得することができるので、現状の技術とは異なり、人手による複雑な設計作業を行う必要はないし、また、時間遅延を補償するために必要とする複雑な演算処理を施すことによりタップ係数（ｈ−Ｎ、…、ｈ０、…、ｈＮ）を取得して各乗算器２５ｂそれぞれに設定するという複雑な算出回路をディジタル遅延等化器２５内に配置することも不要である。
【００４７】
（実施形態の動作例の説明）
次に、図１に示した無線通信装置１００の受信機２０におけるディジタル遅延等化器２５に関する動作について、その一例を説明する。図４は、図３に示したディジタル遅延等化器２５およびディジタル遅延等化器内タップ係数算出部２９に関する動作の一例を説明するためのフローチャートであり、ディジタル遅延等化器２５の乗算器２５ｂにおいて使用されるタップ係数（ｈ−Ｎ、…、ｈ０、…、ｈＮ）の算出方法の一例を説明している。
【００４８】
図４のフローチャートにおいて、無線通信装置１００の電源の投入等により、システムや回路が起動されると（ステップＳ１）、まず、ディジタル遅延等化器内タップ係数算出部２９は、ディジタル遅延等化器２５の複数個（（２Ｎ＋１）個）の乗算器２５ｂそれぞれに用いるタップ係数（ｈ−Ｎ、…、ｈ０、…、ｈＮ）の初期設定を行い、初期値をセットする（ステップＳ２）。
【００４９】
ここで、最初は、ディジタル遅延等化器２５として最適に動作する各タップ係数ｈｉ（ｉ：−Ｎ、…、０、…、Ｎ）の設定値は分からない。したがって、ディジタル遅延等化器２５の振幅特性および遅延時間特性のいずれも、平坦（フラット）な特性になるように、ディジタル遅延等化器内タップ係数算出部２９の遅延等化器タップ係数生成部２９ａにおいて生成される複数個（（２Ｎ＋１）個）のタップ係数ｈｉ（ｉ：−Ｎ、…、０、…、Ｎ）に関して、中央のタップ係数ｈ０のみを‘１’に設定し、他のタップ係数ｈｊ（ｊは０以外の−Ｎ、…、−１、１、…、Ｎ）をすべて‘０’に設定するように動作する。
【００５０】
初期設定が終了すると、ディジタル遅延等化器２５のタップ係数（ｈ−Ｎ、…、ｈ０、…、ｈＮ）を初期値に設定した状態のまま、ディジタル遅延等化器２５から出力される信号を、後置されている自動(適応)等化器２６に伝送して、自動(適応)等化器２６の複数個（（２Ｎ＋１）個）のタップ係数（Ｃ−Ｎ、…、Ｃ０、…、ＣＮ）を自動(適応)等化器タップ係数生成部２６ｄにより適応的に調整させる。そして、受信機２０において無線信号が正常に復調されているか否かを確認する(ステップＳ３)。正常に復調されていない場合には（ステップＳ３のｎｏ）、初期設定が正常に実施されていなかったものと判断して、ステップＳ１に戻って、システムおよび回路の起動をやり直す。
【００５１】
一方、正常に復調されていた場合には（ステップＳ３のｙｅｓ）、初期設定が正常に実施されたものと判断して、次に、ディジタル遅延等化器内タップ係数算出部２９において、後置されている自動(適応)等化器２６の自動(適応)等化器タップ係数生成部２６ｄにより生成された複数個（（２Ｎ＋１）個）のタップ係数（Ｃ−Ｎ、…、Ｃ０、…、ＣＮ）の情報を取得する(ステップＳ４)。
【００５２】
ディジタル遅延等化器内タップ係数算出部２９において、自動(適応)等化器２６の複数個（（２Ｎ＋１）個）のタップ係数（Ｃ−Ｎ、…、Ｃ０、…、ＣＮ）の情報を取得すると、ディジタル遅延等化器内タップ係数算出部２９は、周波数特性算出部２９ｃにおいて、取得した複数個（（２Ｎ＋１）個）のタップ係数（Ｃ−Ｎ、…、Ｃ０、…、ＣＮ）に対してフーリエ変換等の処理を施すことによって、該タップ係数（Ｃ−Ｎ、…、Ｃ０、…、ＣＮ）の周波数特性を算出する。そして、算出された該周波数特性の逆特性の周波数特性となるような複数個（（２Ｎ＋１）個）のタップ係数（ｈ−Ｎ、…、ｈ０、…、ｈＮ）をディジタル遅延等化器２５の乗算器２５ｂに用いるタップ係数として遅延等化器タップ係数生成部２９ａにおいて算出する(ステップＳ５)。
【００５３】
遅延等化器タップ係数生成部２９ａは、算出した複数個（（２Ｎ＋１）個）のタップ係数（ｈ−Ｎ、…、ｈ０、…、ｈＮ）)をディジタル遅延等化器２５の乗算器２５ｂそれぞれに設定する(ステップＳ６)。しかる後、ディジタル遅延等化器２５から出力される信号を、後置されている自動(適応)等化器２６に伝送して、自動(適応)等化器２６の複数個（（２Ｎ＋１）個）のタップ係数（Ｃ−Ｎ、…、Ｃ０、…、ＣＮ）を自動(適応)等化器タップ係数生成部２６ｄにより適応的に調整させる。そして、受信機２０において無線信号が正常に復調されているか否かを確認する(ステップＳ７)。正常に復調されていない場合には（ステップＳ７のｎｏ）、ステップＳ４に戻って、自動(適応)等化器２６の自動(適応)等化器タップ係数生成部２６ｄにおいて新たに生成された（（２Ｎ＋１）個）のタップ係数（Ｃ−Ｎ、…、Ｃ０、…、ＣＮ）を取得する動作をやり直す。
【００５４】
一方、正常に復調されていた場合には（ステップＳ７のｙｅｓ）、次に、複数個（（２Ｎ＋１）個）のタップ係数（Ｃ−Ｎ、…、Ｃ０、…、ＣＮ）の周波数特性の診断を行うために、ディジタル遅延等化器内タップ係数算出部２９において、自動(適応)等化器２６の自動(適応)等化器タップ係数生成部２６ｄにより生成された複数個（（２Ｎ＋１）個）のタップ係数（Ｃ−Ｎ、…、Ｃ０、…、ＣＮ）の情報を取得する(ステップＳ８)。
【００５５】
そして、ディジタル遅延等化器内タップ係数算出部２９において、自動(適応)等化器２６の（（２Ｎ＋１）個）のタップ係数（Ｃ−Ｎ、…、Ｃ０、…、ＣＮ）の情報を取得すると、ディジタル遅延等化器内タップ係数算出部２９の周波数特性算出部２９ｃにおいて、該タップ係数（Ｃ−Ｎ、…、Ｃ０、…、ＣＮ）に対してフーリエ変換（ＦＦＴ）等の処理を施すことによって、該タップ係数（Ｃ−Ｎ、…、Ｃ０、…、ＣＮ）の周波数特性（振幅特性、遅延時間特性）を算出する（ステップＳ９）。そして、周波数特性診断部（Fading＋Delay偏差検出部）２９ｂは、図５に例示するように、算出した振幅特性に基づいてフェーディング（Fading）成分の検出を行い、また、算出した遅延時間特性に基づいて遅延時間偏差の検出を行い、双方の検出結果を基にして、周波数特性の診断を行って、フェーディング成分および遅延時間歪みのいずれも除去された状態になっているか否かを診断する（ステップＳ１０）。
【００５６】
図５は、図３に示したディジタル遅延等化器内タップ係数算出部２９の周波数特性診断部（Fading＋Delay偏差検出部）２９ｂにおいて実施したフェーディング（Fading）検出結果および遅延時間偏差検出結果の一例を示す特性図である。
【００５７】
ここで、図５（Ａ）は、干渉性フェーディング（Fading）の検出結果を示す特性図であり、自動(適応)等化器２６から取得したタップ係数（Ｃ−Ｎ、…、Ｃ０、…、ＣＮ）を基にフーリエ変換等の処理を施して得られた振幅に関する周波数特性を、フェーディング（Fading）の存在を検出する値としてあらかじめ定めたフェーディング検出閾値とともに示している。また、図５（Ｂ）は、遅延時間偏差の検出結果を示す特性図であり、自動(適応)等化器２６から取得したタップ係数（Ｃ−Ｎ、…、Ｃ０、…、ＣＮ）を基にフーリエ変換を施して得られた周波数特性における遅延時間に関する周波数特性を示している。
【００５８】
図５（Ａ）に示す干渉性フェーディング（Fading）検出結果の特性図において、使用周波数帯域内において、振幅がフェーディング検出閾値以下になる周波数成分が存在している場合には、フェーディング成分（すなわち伝送路等において発生する時間的に変動する信号歪み）が存在していることを示し、振幅がフェーディング検出閾値以下になる周波数成分が存在していない場合には、フェーディング成分が存在していないことを示している。
【００５９】
また、図５（Ｂ）に示す遅延時間偏差検出結果の特性図には、細線で示す例１（前回取得時において算出した遅延時間特性）と太線で示す例２（今回取得時において算出した遅延時間特性）の２つの特性図を示している。例１および例２のいずれも、使用周波数のセンタ付近（すなわち等化対象のバンドパスフィルタの通過帯域のセンタ付近）の遅延時間特性に関しては、特性変化は極めて少なく、経時変化による変化は極めて少ないと判断することができるので、遅延時間特性の偏差を検出しない領域すなわち監視対象外領域（言い換えると診断対象外周波数の領域）とする。一方、使用周波数の両端側に位置する高域側と低域側との両側においては、例１および例２のいずれも、等化対象のバンドパスフィルタの急峻なカットオフ特性の影響を受けて、遅延時間特性が、平坦な状態を維持することができなくなり、大きく変化する領域になるので、使用周波数の両端側の領域を、遅延時間特性の偏差を検出する領域すなわち監視領域（言い換えると診断対象周波数領域）としている。
【００６０】
つまり、例１（前回取得時において算出した遅延時間）と例２（今回取得時において算出した遅延時間）との差である遅延時間偏差を算出する周波数領域（監視領域すなわち診断対象周波数領域）として、入力した信号の遅延時間に関する周波数特性上の変化があらかじめ定めた診断対象閾値未満の値になっている周波数帯域を除外し、入力した信号の遅延時間に関する周波数特性上の変化が該診断対象閾値以上の値に達している周波数領域を選択する。かくのごとく、監視領域（すなわち診断対象周波数領域）を絞り込むことにより、遅延時間偏差の検出部の回路構成を簡素化することができ、経済的な周波数特性診断部（Fading＋Delay偏差検出部）２９ｂとすることができる。
【００６１】
そして、対象とする監視領域（すなわち診断対象周波数領域）の周波数帯域において、算出した前記遅延時間偏差が、あらかじめ定めた時間閾値以上になる周波数成分が存在していた場合には、遅延時間偏差（すなわち等化対象のバンドパスフィルタによる時間的に固定した遅延時間歪み）が存在していることを示し、監視領域内のいずれの遅延時間偏差も、該時間閾値未満の周波数成分であった場合には、遅延時間偏差（すなわち遅延時間歪み）が除去されて存在していない状態になっていることを示している。
【００６２】
図４のフローチャートの説明に戻って、周波数特性の診断結果がＮＧであった場合は（ステップＳ１０のｎｏ）、フェーディング成分、遅延時間歪みのいずれか一方あるいは双方がまだ残っていて、等化処理が不十分な状態の場合であるので、ステップＳ８に戻って、自動(適応)等化器２６の（（２Ｎ＋１）個）のタップ係数（Ｃ−Ｎ、…、Ｃ０、…、ＣＮ）の情報を再度取得する動作を繰り返す。
【００６３】
一方、周波数特性の診断結果がＧｏｏｄであった場合は（ステップＳ１０のｙｅｓ）、フェーディング成分と遅延時間歪みとのいずれも除去されて、存在していない良好な受信状態が得られる場合であり、次に、遅延等化器タップ係数生成部２９ａにおいて、自動(適応)等化器２６の（（２Ｎ＋１）個）のタップ係数（Ｃ−Ｎ、…、Ｃ０、…、ＣＮ）の周波数特性の逆特性の周波数特性が得られるような（（２Ｎ＋１）個）のタップ係数（ｈ−Ｎ、…、ｈ０、…、ｈＮ）をディジタル遅延等化器２５の乗算器２５ｂに用いる最適なタップ係数として算出する（ステップＳ１１）。そして、ディジタル遅延等化器内タップ係数算出部２９は、遅延等化器タップ係数生成部２９ａにおいて算出した（（２Ｎ＋１）個）のタップ係数（ｈ−Ｎ、…、ｈ０、…、ｈＮ）をディジタル遅延等化器２５の（（２Ｎ＋１）個）の乗算器２５ｂそれぞれに設定する（ステップＳ１２）。
【００６４】
つまり、周波数特性診断部（Fading＋Delay偏差検出部）２９ｂにおける診断結果として、受信信号に関して、フェーディング成分が存在しない状態に等化することができ、かつ、遅延時間歪みが除去された状態に等化することができるとの診断結果が得られるまで、自動(適応)等化器２６の複数個（（２Ｎ＋１）個）のタップ係数（Ｃ−Ｎ、…、Ｃ０、…、ＣＮ）を取得し直し、取得し直した複数個（（２Ｎ＋１）個）のタップ係数（Ｃ−Ｎ、…、Ｃ０、…、ＣＮ）の周波数特性を算出して、算出した自動(適応)等化器２６の複数個（（２Ｎ＋１）個）のタップ係数（Ｃ−Ｎ、…、Ｃ０、…、ＣＮ）の周波数特性を診断する動作を繰り返す。
【００６５】
そして、周波数特性診断部（Fading＋Delay偏差検出部）２９ｂにおける診断結果として、受信信号に関して、フェーディング成分が存在しない状態に等化することができ、かつ、遅延時間歪みが除去された状態に等化することができるとの診断結果が得られた際に、算出した自動(適応)等化器２６の複数個（（２Ｎ＋１）個）のタップ係数（Ｃ−Ｎ、…、Ｃ０、…、ＣＮ）の周波数特性の逆特性の周波数特性を有する複数個（（２Ｎ＋１）個）のタップ係数（ｈ−Ｎ、…、ｈ０、…、ｈＮ）をディジタル遅延等化器２５の最適なタップ係数として生成してディジタル遅延等化器２５に設定する動作を行う。
【００６６】
しかる後、受信機２０において無線信号が正常に復調されているか否かを確認する(ステップＳ１３)。正常に復調されていない場合には（ステップＳ１３のｎｏ）、受信機２０として正常な信号受信動作が行われていない状態であるので、ステップＳ８に戻って、自動(適応)等化器２６の自動(適応)等化器タップ係数生成部２６ｄにより生成された（（２Ｎ＋１）個）のタップ係数（Ｃ−Ｎ、…、Ｃ０、…、ＣＮ）を取得する動作をやり直す。
【００６７】
一方、正常に復調されていた場合には（ステップＳ１３のｙｅｓ）、受信機２０として正常な信号受信動作を行っているので、ディジタル遅延等化器２５の複数個（（２Ｎ＋１）個）のタップ係数（ｈ−Ｎ、…、ｈ０、…、ｈＮ）の生成・設定動作を繰り返すことなく、現在の状態をそのまま継続する待ち合わせ状態（タップ係数生成動作の停止状態）に移行する（ステップＳ１４）。しかし、経時変化や温度等の環境変化により周波数特性が変化する場合に備えることが必要であるので、あらかじめ定めた一定時間が経過する都度、ステップＳ８に復帰して、ディジタル遅延等化器２５の複数個（（２Ｎ＋１）個）のタップ係数（ｈ−Ｎ、…、ｈ０、…、ｈＮ）の再設定（再生成）動作を行う。
【００６８】
つまり、正常に復調されていた場合には（ステップＳ１３のｙｅｓ）、自動(適応)等化器２６の複数個（（２Ｎ＋１）個）のタップ係数（Ｃ−Ｎ、…、Ｃ０、…、ＣＮ）を取得し直す動作を、あらかじめ定めた一定時間の間停止し、しかる後、該一定時間が経過した際に、自動(適応)等化器２６の複数個（（２Ｎ＋１）個）のタップ係数（Ｃ−Ｎ、…、Ｃ０、…、ＣＮ）を取得し直す動作を再開して、該タップ係数（Ｃ−Ｎ、…、Ｃ０、…、ＣＮ）の周波数特性に関する周波数特性診断部（Fading＋Delay偏差検出部）２９ｂにおける診断動作を再開する動作を行う。
【００６９】
かくのごとき再設定動作を行うことにより、経時変化や環境変化等に伴い周波数特性が変化した際に対しても、ディジタル遅延等化器２５のタップ係数（ｈ−Ｎ、…、ｈ０、…、ｈＮ）を逐次更新することができるので、定常的に、受信機２０として安定した運用を行うことができる。
【００７０】
（実施形態の効果の説明）
以上に詳細に説明したように、本実施形態においては以下のような効果を奏することができる。 
【００７１】
第１に、ディジタル遅延等化器２５のタップ係数（ｈ−Ｎ、…、ｈ０、…、ｈＮ）に関して、現状の技術においては、個別に手動によって調整を行っていたが、本実施形態においては、自動化することができるので、タップ係数（ｈ−Ｎ、…、ｈ０、…、ｈＮ）の調整にかかる手間を大幅に省くことができる。
【００７２】
第２に、ディジタル遅延等化器２５に自動(適応)等化器２６を後置して接続する構成としているので、フェーディング成分を除いた状態の自動(適応)等化器２６のタップ係数（Ｃ−Ｎ、…、Ｃ０、…、ＣＮ）に基づいてディジタル遅延等化器２５のタップ係数（ｈ−Ｎ、…、ｈ０、…、ｈＮ）を算出することができ、ディジタル遅延等化器２５のタップ係数（ｈ−Ｎ、…、ｈ０、…、ｈＮ）として、より最適なタップ係数を得ることができる。而して、かかるディジタル遅延等化器２５と自動(適応)等化器２６とを受信機２０として含む構成とすることにより、無線通信装置１００の性能向上を図ることができる。
【００７３】
第３に、ディジタル遅延等化器２５のタップ係数（ｈ−Ｎ、…、ｈ０、…、ｈＮ）を決定した後は、ディジタル遅延等化器２５において固定的な遅延時間歪みを確実に等化するので、後置の自動(適応)等化器２６は、フェーディング等の影響を受けて時間的に変動する信号歪みの等化を行うことに専念することができるので、耐フェーディング特性の一層の向上を図ることができる。
【００７４】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７５】
１０      送信機
１１      変調器
１２      Ｄ／Ａ変換器
１３      ミキサ（Mixer）
１４      高周波増幅器（Ａｍｐ：Amplifier）
１５      バンドパスフィルタ（ＢＰＦ：Band  Pass  Filter）
１６      アンテナ
１７      発振器
２０      受信機
２１      アンテナ
２２      バンドパスフィルタ（ＢＰＦ：Band  Pass  Filter）
２３      ミキサ（Mixer）
２４      Ａ／Ｄ変換器
２５      ディジタル遅延等化器
２５ａ    単位時間遅延素子
２５ｂ    乗算器
２５ｃ    加算器
２６      自動（適応）等化器
２６ａ    単位遅延器
２６ｂ    乗算器
２６ｃ    加算器
２６ｄ    自動(適応)等化器タップ係数生成部
２６ｅ    識別器
２６ｆ    加算器
２７      復調器
２８      局部発振器
２９      ディジタル遅延等化器内タップ係数算出部
２９ａ    遅延等化器タップ係数生成部
２９ｂ    周波数特性診断部（Fading＋Delay偏差検出部）
２９ｃ    周波数特性算出部
１００    無線通信装置
【図１】
2020162095.tif 000003
【図２】
2020162095.tif 000004
【図３】
2020162095.tif 000005
【図４】
2020162095.tif 000006
【図５】
2020162095.tif 000007